(57)【特許請求の範囲】
【請求項１】
道路や橋梁の路肩に設置される排水溝ユニットであって、
水が流れる水路部と、前記水路部を貫いて形成されて前記水路部を流れる水を前記水路部の外部へ排出する排出部と、を有する排水溝本体と、
前記排水溝本体と別体に構成されて、前記排出部の下方に位置しかつ前記排出部から離間して設けられ前記排出部から流出した水を受ける受け部と、前記受け部に接続されて前記受け部で受けた水を外部へ排出する流末管部と、を有する流末部材と、
前記排水溝本体及び前記流末部材と別体に構成されて、前記排出部と前記受け部との間に形成される隙間を塞ぐ接続部材と、
を備え、
前記排出部は、前記水路部を貫いて形成された開口部と、筒状に形成されて前記開口部に繋がる筒状部と、を有し、
前記接続部材は、筒状に形成されて前記開口部を通して前記筒状部の内側に嵌め込まれている、
排水溝ユニット。
【請求項２】
前記接続部材の上端部は前記筒状部の内側面に接触しているとともに、前記接続部材の下端部は前記受け部に接触している、
請求項１に記載の排水溝ユニット。
【請求項３】
前記接続部材は、前記接続部材の内側と外側とを連通する連通部を有している、
請求項１又は２に記載の排水溝ユニット。
【請求項４】
前記接続部材の少なくとも一部は、前記筒状部の内側面に対して前記流末管部側へ向かって傾斜している、
請求項１から３のいずれか一項に記載の排水溝ユニット。
【請求項５】
前記接続部材と前記排出部との間、及び前記接続部材と前記受け部との間は、それぞれシール部材によって塞がれている、
請求項１から４のいずれか一項に記載の排水溝ユニット。
【発明の詳細な説明】
【技術分野】
【０００１】
本発明は、道路や橋梁等の路肩に設置される排水溝ユニット、及びその排水溝ユニットを構成する接続部材に関する。
【背景技術】
【０００２】
従来、例えば道路橋の路肩、つまり、道路の路面と道路の幅方向の両端に設けられる壁高欄との間には、排水溝ユニットが設けられている。排水溝ユニットは、主に道路の路面上に降った雨水を集めて、その雨水を道路の外部へ排水する。一般に、このような排水溝ユニットは、水路部を有する排水溝本体と、水路部に流れる水を道路の外部へ排出するための流末管と、を別体に構成している。排水溝本体と流末管とを一体に構成すると、排水溝ユニットの施工が困難になるからである。
【０００３】
すなわち、排水溝本体と流末管とを別体に構成した排水溝ユニットにおいては、まず、床版を施工する際に、予め流末管を床版の所定の位置に埋め込んでおく。その後、排水溝本体と流末管との位置を合わせた状態で排水溝本体を設置し、そして、床版上にアスファルト等を敷設して道路の路面となる舗装部を形成する。この場合、床版の施工と舗装部の施工とは異なる時期に行うことが一般的である。一方、排水溝本体と流末管とを一体に構成したものでは、流末管を床版に設けると、排水溝本体も同時に床版に取り付けられることになる。この場合、床版の施工において排水溝本体は邪魔な構造物となり、床版の施工がし難くなるといった問題が生じる。
【０００４】
また、排水溝本体と流末管とを一体に構成すると、例えば道路の完成後に排水溝本体を交換したい場合には、床版に埋め込まれた流末管も一緒に交換しなければならない。したがって、排水溝本体の交換に要する作業が大掛かりなものとなってしまい、容易に排水溝本体を交換することができない。
【０００５】
これに対し、排水溝本体と流末管とを別体に構成することで、床版に対する流末管の取り付けと、流末管に対する排水溝本体の取り付けと、を異なる時期に行うことができる。また、排水溝本体と流末管とを別体に構成することで、例えば道路の完成後に排水溝本体を交換したい場合においても、排水溝本体のみ交換することができる。そのため、上述した問題を解消することができる。
【０００６】
しかしながら、排水溝本体と流末管とを別体に構成したものにおいては、例えば泥やごみ等が流末管の内部に詰まってしまい流末管の排水能力が低下すると、排水溝本体と流末管との間から水が漏れ出してしまい、排水溝本体と流末管との間部分の周囲に水が溜まってしまう、といった懸念があった。
【先行技術文献】
【特許文献】
【０００７】
【特許文献１】特開２０１２−２２９５５１号公報
【発明の概要】
【発明が解決しようとする課題】
【０００８】
本発明は上記事情に鑑みてなされたものであり、その目的は、排水溝本体と流末管とを別体に構成した排水溝ユニットにおいて、排水溝本体と流末管との間から水が漏れ出すことを抑制することができる排水溝ユニット、及び排水溝ユニットの接続部材を提供することにある。
【課題を解決するための手段】
【０００９】
実施形態の排水溝ユニットは、道路や橋梁の路肩に設置される排水溝ユニットであって、水が流れる水路部と、前記水路部を貫いて形成されて前記水路部を流れる水を前記水路部の外部へ排出する排出部と、を有する排水溝本体と、前記排水溝本体と別体に構成されて、前記排出部の下方に位置しかつ前記排出部から離間して設けられ前記排出部から流出した水を受ける受け部と、前記受け部に接続されて前記受け部で受けた水を外部へ排出する流末管部と、を有する流末部材と、前記排水溝本体及び前記流末部材と別体に構成されて、前記排出部と前記受け部との間に形成される隙間を塞ぐ接続部材と、を備える。前記排出部は、前記水路部を貫いて形成された開口部と、筒状に形成されて前記開口部に繋がる筒状部と、を有している。前記接続部材は、筒状に形成されて前記開口部を通して前記筒状部の内側に嵌め込まれている。
【００１０】
実施形態の接続部材は、水が流れる水路部と、前記水路部を貫いて形成されて前記水路部を流れる水を前記水路部の外部へ排出する排出部と、を有する排水溝本体と、前記排水溝本体と別体に構成されて、前記排出部の下方に位置しかつ前記排出部から離間して設けられ前記排出部から流出した水を受ける受け部と、前記受け部に接続されて前記受け部で受けた水を外部へ排出する流末管部と、を有する流末部材と、を備える排水溝ユニットにおいて、前記排水溝本体及び前記流末部材と別体に構成されて、前記排出部と前記受け部との間に形成される隙間を塞ぐことが可能である。
【図面の簡単な説明】
【００１１】
【図１】一実施形態による排水溝ユニットを上方から見た斜視図
【図２】一実施形態による排水溝ユニットを分解して示す斜視図
【図３】一実施形態による排水溝ユニットの一部を拡大して示す正面図
【図４】一実施形態による排水溝ユニットについて、図３のＸ４−Ｘ４線に沿って示す断面図
【図５】一実施形態による排水溝ユニットについて、図３のＸ５部分を拡大して示す断面図
【発明を実施するための形態】
【００１２】
以下、本発明の一実施形態について図面を参照しながら説明する。
図１に示す排水溝ユニット１は、図４にも示すように、道路の路肩に設けられるものであり、道路の縁石と排水溝とを兼ねている。本実施形態の排水溝ユニット１は、道路の長手方向に沿って配置された図示しない複数の排水溝ユニットの流末部分に設けられるものである。排水溝ユニット１は、全体として道路の長手方向に沿って長尺状に形成されている。
【００１３】
排水溝ユニット１は、図２にも示すように、排水溝本体１０、カバー部材２０、流末部材３０、及び接続部材４０を備えている。排水溝本体１０、カバー部材２０、流末部材３０、及び接続部材４０は、いずれも例えば鋼板等の金属製の板を曲げ加工や溶接加工して形成されている。なお、以下の説明においては、排水溝本体１０に対してカバー部材２０側を排水溝ユニット１の上側とし、排水溝本体１０に対して流末部材３０側を排水溝ユニット１に下側とする。
【００１４】
排水溝本体１０は、全体として道路の長手方向に沿った長尺状であって、その長尺状の幅方向を含む面で切断した切断形状が略Ｌ字形状に形成されている。具体的には、排水溝本体１０は、図２に示すように、水路部１１、第１側壁部１２１、第２側壁部１２２、端壁部１３、及び排出部１４を有している。水路部１１は、図４に示すように、路面９１に対して略平行となるように構成されており、上方へ開放した溝状に形成されている。水路部１１は、排水溝本体１０の長手方向に沿って形成されている。
【００１５】
第１側壁部１２１は、図２及び図４に示すように、排水溝本体１０の幅方向における一方の側縁部つまり路面９１とは反対側の縁部に設けられている。第１側壁部１２１は、図４に示すように、例えば道路橋の壁高欄９３等に対して略平行となるように構成されている。第１側壁部１２１は、壁高欄９３側へ突出した板状の固定部１７を複数有している。各固定部１７は、壁高欄９３を構成する鉄筋９３１が通された状態で、壁高欄９３内に埋め込まれている。これにより、排水溝本体１０は、例えば道路橋の壁高欄９３等に固定されている。
【００１６】
第２側壁部１２２は、排水溝本体１０の幅方向における他方の側縁部つまり路面９１側の縁部に設けられている。各側壁部１２１、１２２は、水路部１１に対して略直角方向に立ち上がるように設けられている。すなわち、各側壁部１２１、１２２は、路面９１に対して略直角となる壁を構成している。
【００１７】
第１側壁部１２１の上下方向の寸法つまり水路部１１の面に対して直角方向の寸法は、第２側壁部１２２の上下方向の寸法よりも大きい。この場合、排水溝ユニット１が道路に取り付けられた状態について見ると、第１側壁部１２１の上端部は、図４に示すように、路面９１よりも上方に位置している。一方、第２側壁部１２２の上端部は、路面９１と同程度の高さ位置か又は路面９１よりも下方に位置している。
【００１８】
端壁部１３は、図２に示すように、排水溝本体１０の長手方向の一方の端部に設けられている。端壁部１３も、水路部１１に対して略直角方向に立ち上がるように設けられている。すなわち、端壁部１３も、路面９１に対して略直角となる壁を構成している。この場合、水路部１１の長手方向において端壁部１３が設けられている側の端部は、水路部１１の下流側の端つまり終端となる。これに対し、水路部１１の長手方向において端壁部１３が設けられていない側の端部は、水路部１１の上流側となる。水路部１１の上流側は、詳細は図示しないが、排出部１４及び流末部材３０等を備えていない他の排水溝ユニットの下流側に接続される。
【００１９】
排出部１４は、排水溝本体１０の長手方向の一方側の端部、つまり、排水溝本体１０の長手方向における端壁部１３側の端部に設けられている。排出部１４は、水路部１１を流れる水を、水路部１１の外部へ排出するためのものである。具体的には、排出部１４は、開口部１４１と筒状部１４２とを有している。開口部１４１は、水路部１１を矩形状に貫いて形成された穴である。なお、開口部１４１の形状は矩形状に限られず、例えば円形であってもよい。
【００２０】
筒状部１４２は、例えば開口部１４１の内形に沿った矩形の筒状に形成され、その上端部が開口部１４１に接続されている。筒状部１４２は、水路部１１に対して下方へ突出している。すなわち、筒状部１４２は、開口部１４１の下側に接続されている。筒状部１４２の内側の面１４４は、水路部１１に対して略直角面、つまり水平方向に対して略垂直面に形成されている。この場合、筒状部１４２の内側面１４４は、開口部１４１に連続している。なお、筒状部１４２の外形は、開口部１４１の周囲を囲むように開口部１４１の内形よりも大きく形成されていてもよい。
【００２１】
排水溝本体１０は、第１本体側リブ１５と、突出部１６と、を有している。本体側リブ１５は、第１側壁部１２１において上下方向の中央部分にあって、排水溝本体１０の長手方向に複数個並んで設けられている。本体側リブ１５は、第１側壁部１２１から排水溝本体１０の幅方向の中央部分へ向かって突出している。この場合、本体側リブ１５は、排水溝本体１０の正面から見た形状がＬ字形状を上下反転させたような形状となっている。
【００２２】
突出部１６は、第１側壁部１２１及び第２側壁部１２２の上端付近にあって、排水溝本体１０の長手方向に複数個並んで設けられている。突出部１６は、第１側壁部１２１及び第２側壁部１２２から排水溝本体１０の幅方向の中央部へ向かって突出している。突出部１６は、例えば頭部を有する棒状の部材で構成されている。
【００２３】
カバー部材２０は、排水溝本体１０の水路部１１の上部を覆うようにして、排水溝本体１０に着脱可能に取り付けられている。カバー部材２０は、排水溝本体１０の長手方向に沿って長尺状であって、幅方向を含む面で切断した切断形状が、排水溝本体１０の水路部１１及び第１側壁部１２１に沿った略Ｌ字形状に形成されている。具体的には、カバー部材２０は、誘導面部２１と、側面部２２と、上面部２３と、を一体に有している。
【００２４】
誘導面部２１は、図４にも示すように、水路部１１の上方に位置し、水路部１１及び路面９１に対して略平行であって路面９１と略同一面に形成されている。側面部２２は、カバー部材２０の幅方向の中央部分にあって、誘導面部２１に対して略直角方向に立ち上がるように設けられている。側面部２２は、排水溝本体１０の第１側壁部１２１から離間し、第１側壁部１２１に対して略平行となるように形成されている。上面部２３は、側面部２２の上端部を、路面９１とは反対側へ折り曲げるように形成されている。上面部２３は、誘導面部２１と略平行となるように形成されている。排水溝本体１０の水路部１１及び側壁部１２１と、カバー部材２０の誘導面部２１、側面部２２、及び上面部２３との間には水路となる空間５１が形成されている。
【００２５】
カバー部材２０は、図１及び図２に示すように、第１孔部２４１、第２孔部２４２、第３孔部２４３、及び第４孔部２４４を有している。これら孔部２４１〜２４４は、水路となる空間５１の内部と外部とを連通している。具体的には、第１孔部２４１は、誘導面部２１を矩形状に貫いて形成されている。第１穴部２４１は、誘導面部２１の長手方向に沿って複数個設けられている。第２孔部２４２は、誘導面部２１と側面部２２との境界付近を矩形状に貫いて形成されている。第２孔部２４２は、カバー部材２０の長手方向の両端付近に設けられている。
【００２６】
第３孔部２４３は、側面部２２の上側部分にあってかつ側面部２２の長手方向の両端付近に設けられており、側面部２２を矩形状に貫いて形成されている。第４孔部２４４は、上面部２３の第１側壁部１２１側でかつ上面部２３の長手方向の両端付近に設けられており、上面部２３を矩形状に貫いて形成されている。カバー部材２０に降りかかった雨水等は、これら孔部２４１〜２４４を通って水路となる空間５１内に導かれる。
【００２７】
また、カバー部材２０は、図３及び図４に示すように、被係止部２５及びカバー側リブ２６を有している。被係止部２５は、図３に示すように、排水溝本体１０の突出部１６に対応する位置に設けられている。被係止部２５は、カバー部材２０の幅方向の両端部を切り欠いて形成されており、排水溝本体１０の突出部１６を係止する。すなわち、カバー部材２０は、被係止部２５で突出部１６を受けることによって、突出部１６に支持されている。これにより、カバー部材２０が、排水溝本体１０の上面部分に取り付けられる。
【００２８】
カバー側リブ２６は、排水溝本体１０の本体側リブ１５に対応する位置に設けられている。カバー側リブ２６は、垂直方向の面を有する板状に形成されている。図４に示すように、カバー側リブ２６は、本体側リブ１５及び第１側壁部１２１に接触可能に構成されている。カバー側リブ２６が本体側リブ１５に接触することによって、カバー部材２０の下方への移動が規制される。また、カバー側リブ２６が第１側壁部１２１に接触することによって、カバー部材２０の第１側壁部１２１側への移動が規制される。すなわち、カバー側リブ２６が第１側壁部１２１に接触することで、側面部２２と第１側壁部１２１との距離が一定に保持される。
【００２９】
流末部材３０は、排水溝本体１０及びカバー部材２０とは別体つまり別部材で構成されている。流末部材３０は、排水溝本体１０の排出部１４の下方に設けられている。流末部材３０と排水溝本体１０とは離間している。つまり、流末部材３０と排水溝本体１０とは、接触していない。流末部材３０は、受け部３１と、流末管部３２と、を有している。受け部３１と流末管部３２とは一体に形成されている。
【００３０】
受け部３１は、排出部１４の下方に位置しかつ排出部１４から離間して設けられている。受け部３１は、排出部１４から流出した水を受けるためのものである。受け部３１は、上側が開口した矩形の容器状であって、筒状部１４２の外形よりも大きい容器状に形成されている。すなわち、筒状部１４２の下側の一部は、受け部３１の容器状の内側に位置している。この場合、筒状部１４２の下端部１４３と受け部３１の受け面３１１とは離間している。そのため、筒状部１４２の下端部１４３と受け部３１の受け面３１１との間には隙間５２が形成されている。
【００３１】
受け部３１は、受け面３１１と周壁部３１２とを有している。受け面３１１は、受け部３１の容器状の底部を形成する部分であり、略平坦な面に形成されている。周壁部３１２は、受け面３１１の周囲に設けられており、受け面３１１に対して略直角の壁となるように形成されている。この場合、筒状部１４２の下側部分の周囲は、周壁部３１２によって囲まれている。そして、筒状部１４２の下端部１４３は、受け面３１１から離間しており、筒状部１４２の下端部１４３と受け部３１の受け面３１１との間に隙間５２が形成されている。
【００３２】
流末管部３２は、受け部３１に接続されており、受け部３１で受けた水を、道路の外部へ排出するためのものである。流末管部３２は、例えば円筒形の管であって、受け部３１の平面方向における中心部でかつ受け部３１の下側面に接続されている。この場合、流末管部３２の上端部は、受け面３１１を貫くようにして受け面３１１に設けられている。すなわち、流末管部３２は、受け面３１１を上下方向つまり垂直方向へ連通している。流末管部３２の下端部は、図示しない排水管等に繋がっている。
【００３３】
接続部材４０は、排水溝本体１０、カバー部材２０、及び流末部材３０と別体つまり別部材に構成されている。接続部材４０は、詳細は図示しないが、上方から見た平面視において、排出部１４の内側つまり筒状部１４２の内側面１４４に沿った矩形の筒状に形成されている。図３及び図４に示すように、接続部材４０は、筒状部１４２の内側に設けられている。そして、接続部材４０は、筒状部１４２の下端部１４３と受け部３１の受け面３１１との間に形成された隙間５２を塞いでいる。
【００３４】
この場合、接続部材４０は、下方から見た底面視において、水路部１１の長手方向における寸法が筒状部１４２よりも小さい矩形状に形成されている。すなわち、接続部材４０は、図３に示すように正面から見て上側の辺が長い台形状であり、かつ図４に示すように側面から見て略矩形状に形成されている。そして、接続部材４０の上端部４０１は、筒状部１４２の内側面１４４に接触している。また、接続部材４０の下端部４０２は、受け部３１の受け面３１１に接触している。なお、接続部材４０の上端部４０１は、必ずしも筒状部１４２の内側面１４４に接触している必要はなく、若干離れていてもよい。同様に、接続部材４０の下端部４０２は、必ずしも受け部３１の受け面３１１に接触している必要はなく、若干離れていてもよい。
【００３５】
排水溝ユニット１は、図３〜図５に示すように、例えばシリコーン樹脂等のシール部材６１、６２を備えている。シール部材６１は、接続部材４０の上端部４０１と筒状部１４２の内側面１４４との間部分に設けられており、接続部材４０の上端部４０１と排出部１４の内側面１４４との間部分を水密に塞いでいる。これにより、接続部材４０の上端部４０１と筒状部１４２の内側面１４４との隙間から水が漏れ出ることを抑制している。
【００３６】
また、シール部材６２は、接続部材４０の下端部４０２の内周部分と受け部３１の受け面３１１との間部分に設けられており、接続部材４０の下端部４０２の内周部分と受け部３１の受け面３１１との間部分を水密に塞いでいる。これにより、接続部材４０の下端部４０２の内周囲部分と受け部３１の受け面３１１との隙間から水が漏れ出ることを抑制している。
【００３７】
ここで、図２に示すように、接続部材４０の矩形の筒状を構成する４つの壁部４１〜４４のうち、水路部１１の長手方向に並ぶ２つの壁部つまり水路部１１の長手方向に対して直角方向の面を含んだ壁部を第１壁部４１及び第２壁部４２とする。また、接続部材４０の矩形の筒状を構成する４つの壁部４１〜４４のうち、第１壁部４１及び第２壁部４２以外の残りの２つの壁部、つまり水路部１１の長手方向に対して平行に設けられた壁部をそれぞれ第３壁部４３及び第４壁部４４とする。この場合、第１壁部４１及び第２壁部４２は、相互に対向している。また、第３壁部４３及び第４壁部４４も相互に対向している。
【００３８】
この構成において、接続部材４０の少なくとも一部は、筒状部１４２の内側面１４４に対して流末管部３２側へ向かって傾斜している。すなわち、本実施形態の場合、接続部材４０を構成する４つの壁部４１〜４４のうち、少なくとも水路部１１の長手方向に並んだ第１壁部４１及び第２壁部４２は、筒状部１４２の内側面１４４に対して流末管部３２側へ向かって傾斜している。つまり、第１壁部４１及び第２壁部４２は、水路部１１に対して０°より大きくかつ９０°未満の角度で傾斜している。本実施形態の場合、第１壁部４１及び第２壁部４２は、水路部１１に対して約７０°の角度を有して傾斜している。つまり、本実施形態の場合、図５に示すように、水路部１１と各壁部４１、４２との成す角度αは、約７０°となっている。
【００３９】
また、図５に示すように、排出部１４を形成する面１４４つまり筒状部１４２の内側面１４４と水路部１１との成す角度βは、各壁部４１、４２との成す角度αよりも大きい角度に設定されている。この場合、筒状部１４２の内側面１４４と水路部１１との成す角度βは、約９０°つまり略直角に設定されている。なお、接続部材４０は、４つの壁部４１〜４４のうち少なくとも１つが、筒状部１４２の内側面１４４に対して流末管部３２側へ向かって傾斜していればよい。したがって、接続部材４０は、４つの壁部４１〜４４全てが、筒状部１４２の内側面１４４に対して流末管部３２側へ向かって傾斜していてもよい。
【００４０】
接続部材４０は、図２〜図４に示すように、連通部４５を有している。連通部４５は、隙間５２に相当する位置に設けられており、接続部材４０における路面９１側つまり第３壁部４３の下側部分を貫いて形成されている。本実施形態の場合、連通部４５は、水路部１１の長手方向に沿って延びた長穴の上半分の形状に形成されている。なお、連通部４５は、複数の円形の穴又は半円穴、若しくは矩形状の切欠きであってもよい。また、連通部４５は、接続部材４０における路面９１側以外の部分つまり第１壁部４１、第２壁部４２、又は第４壁部４４に設けられていてもよい。
【００４１】
次に、上述した排水溝ユニット１の施工方法の一例について説明する。
作業者は、図４に示すように、まず、床版９２を施工する際に、流末部材３０を床版９２に埋め込む。次に、作業者は、床版９２に対して壁高欄９３を設置する。その後、作業者は、排水溝本体１０を壁高欄９３に固定する。そして、作業者は、接続部材４０を、排水溝本体１０の排出部１４内に挿入する。すなわち、接続部材４０が、開口部１４１を通して筒状部１４２の内側に嵌め込まれる。これにより、筒状部１４２の下端部１４３と受け部３１の受け面３１１との間の隙間５２が、接続部材４０によって塞がれる。
【００４２】
その後、作業者は、接続部材４０と排出部１４との間部分及び接続部材４０と排出部１４との間部分にそれぞれシール部材６１、６２を塗布する。これにより、接続部材４０と排出部１４との間部分及び接続部材４０と排出部１４との接触部分とが、それぞれ水密に塞がれる。そして、作業者は、カバー部材２０を排水溝本体１０に取り付けて、その後、アスファルト等によって舗装部９４を施工する。このようにして、排水溝ユニット１は、道路橋等の路肩に設けられる。
【００４３】
このように、本実施形態によれば、排水溝ユニット１は、排水溝本体１０及び流末部材３０と別体に構成された接続部材４０を備えている。そして、接続部材４０は、排出部１４と受け部３１との間に形成される隙間５２を塞いでいる。これによれば、接続部材４０によって、排出部１４と受け部３１との間に形成される隙間５２から水が漏れ出ることを抑制することができる。すなわち、排水溝本体１０と流末部材３０とを別体に構成した排水溝ユニット１において、排水溝本体１０と流末部材３０との間から水が漏れ出すことを抑制することができる。
【００４４】
接続部材４０は、排出部１４の筒状部１４２の内側面１４４に沿った筒状に形成されている。そして、接続部材４０は、排出部１４の筒状部１４２の内側に設けられている。これによれば、作業者は、排水溝ユニット１の施工を次のように行うことができる。すなわち、作業者は、予め流末部材３０が埋め込まれた床版９２を所定位置に配置した後、床版９２に対して壁高欄９３を構成する鉄筋９３１を組み立てる。その際、作業者は、流末部材３０に対して排水溝本体１０の位置を合せながら鉄筋９３１の一部を固定部１７に通して、排水溝本体１０を配置する。そして、固定部１７及び鉄筋９３１の周囲をコンクリートで固めることで壁高欄９３を形成する。これにより、排水溝本体１０が、壁高欄９３に固定される。
【００４５】
その後、作業者は、接続部材４０を排出部１４の筒状部１４２に挿入する。そして、作業者は、接続部材４０と排出部１４との境界部分、及び接続部材４０と受け部３１との境界部分に、それぞれシール部材６１、６２を設ける。これにより、排水溝本体１０と流末部材３０とが接続される。これによれば、流末部材３０及び排水溝本体１０の施工の時期を異なる時期に行い易くなり、その結果、排水溝ユニット１の施工がし易くなる。
【００４６】
接続部材４０の上端部４０１は筒状部１４２の内側面１４４に接触しているとともに、接続部材４０の下端部４０２は受け部３１の受け面３１１に接触している。これによれば、接続部材４０と排出部１４の内側面１４４との隙間、及び接続部材４０と受け面３１１との隙間を極力小さくすることができる。したがって、接続部材４０の内側を通る水が、接続部材４０と排出部１４の内側面１４４との隙間、及び接続部材４０と受け面３１１との隙間から接続部材４０の外側へ漏れ出ることを極力低減することができる。
【００４７】
ここで、例えば接続部材４０の上端部４０１が開口部１４１から水路部１１の上方に突出していると、その突出した上端部４０１によって、水路部１１から開口部１４１を通る水の流れが妨げられる。その結果、円滑な排水を行うことが阻害される。一方、本実施形態によれば、接続部材４０の上端部４０１は筒状部１４２の内側面１４４に接触していることから、接続部材４０の上端部４０１は、開口部１４１の下方つまり水路部１１の下方に位置している。すなわち、接続部材４０の上端部４０１は、開口部１４１から水路部１１の上方へ突出していない。これによれば、接続部材４０が、水路部１１から開口部１４１を通る水の流れを妨げることを防ぐことができる。したがって、水路部１１に流れた水を、排出部１４を通して円滑に道路外に排出することができる。
【００４８】
また、例えば路面９１から舗装部９４に染み込んだ雨水等が受け部３１の受け面３１１上に流れ込むことが考えられるが、この場合に何ら対策を取っていないと、受け面３１１に流れ込んだ水は、流末管部３２から排出されずに、受け部３１の周壁部３１２と接続部材４０との間に溜まって受け部３１から溢れ出てしまう。これに対し、本実施形態によれば、接続部材４０は、接続部材４０の内側と外側とを連通する連通部４５を有している。これによれば、受け面３１１上に流れ落ちた水は、連通部４５を通って接続部材４０の内側に流れ込み、その後、流末管部３２を通って道路の外部へ排出される。したがって、受け面３１１上に流れ落ちた水が、受け部３１の周壁部３１２と接続部材４０との間に溜まって受け部３１から溢れ出てしまうことを抑制することができる。
【００４９】
接続部材４０の少なくとも一部は、筒状部１４２の内側面１４４に対して流末管部３２側へ向かって傾斜している。本実施形態の場合、接続部材４０を構成する４つの壁部４１〜４４のうち、水路部１１の長手方向に並んだ第１壁部４１及び第２壁部４２が、筒状部１４２の内側面１４４に対して流末管部３２側へ向かって傾斜している。これによれば、少なくとも第１壁部４１及び第２壁部４２については、筒状部１４２の内側面１４４に対して第１壁部４１及び第２壁部４２の上端部４０１の外周部分で線接触することになり、内側面１４４との接触面積を低減することができる。したがって、接続部材４０を筒状部１４２の内側に挿入する際に、筒状部１４２の内側面１４４と接続部材４０との接触によって生じる摩擦を低減することができる。これにより、接続部材４０を筒状部１４２の内側に容易に挿入することができ、その結果、排水溝ユニット１を組み立てる際の作業性の向上を図ることができる。
【００５０】
接続部材４０と排出部１４との間、及び接続部材４０と受け部３１との間は、それぞれシール部材６１、６２によって塞がれている。すなわち、接続部材４０の上端部４０１の外周部分と排出部１４の内側面１４４との接触部分、及び接続部材４０の下端部４０２の内周囲部分と受け部３１の受け面３１１との接触部分は、それぞれシール部材６１、６２によって水密に塞がれている。これによれば、排出部１４の筒状部１４２内を通る水が、接続部材４０の筒状の外側に漏れ出ることを抑制することができる。
【００５１】
また、排水溝本体と流末部材とが分離した既存の排水溝ユニットに対して、上述した接続部材４０を用いることで、既存の排水溝ユニットに本実施形態の排水溝ユニット１と同等の作用効果を付加することができる。
【００５２】
以上、本発明の一実施形態について説明したが、本発明の実施形態は、上記し又図面に記載した態様に限定されるものではなく、その要旨を逸脱しない範囲で種々の変形や拡張をすることができる。
例えば排水溝ユニット１は、金属製に限られず、その一部又は全部を樹脂等で構成してもよい。
【符号の説明】
【００５３】
図面中、１は排水溝ユニット、１０は排水溝本体、１４は排出部、１４１は開口部、１４２は筒状部、１４４は筒状部の内側面、３０は流末部材、３１は受け部、３２は流末管部、４０は接続部材、４０１は接続部材の上端部、４０２は接続部材の下端部、４５は連通部、６１、６２はシール部材を示す。
【図１】
0006667299.tif 000002
【図２】
0006667299.tif 000003
【図３】
0006667299.tif 000004
【図４】
0006667299.tif 000005
【図５】
0006667299.tif 000006